(57)【要約】本発明の一様相は、無線通信システムでのダウンリンク共用伝送チャネルを通したデータ伝送方法を開示する。本発明の一様相によると、ネットワークの上位ネットワークノードは、端末から伝送された測定情報を受信する。前記上位ネットワークノードは、前記測定情報から前記共用伝送チャネルの制御情報を獲得して基地局に伝達し、前記基地局は、前記制御情報によって前記共用伝送チャネルを通して前記端末にダウンリンクデータを伝送する。
2010507962.tif 000002
【特許請求の範囲】
【請求項１】
無線通信システムでのダウンリンク共用伝送チャネルを通したデータ伝送方法において、
上位ネットワークノードで端末から伝送された測定情報を受信する段階；
前記測定情報から獲得された前記共用伝送チャネルの制御情報を前記上位ネットワークノードから基地局に伝達する段階；及び
前記制御情報によって前記共用伝送チャネルを通して前記基地局から前記端末にダウンリンクデータを伝送する段階を含む、データ伝送方法。
【請求項２】
前記測定情報は、特定のＲＲＣ（Ｒａｄｉｏ  Ｒｅｓｏｕｒｃｅ  Ｃｏｎｔｒｏｌ）メッセージに含まれて受信されることを特徴とする、請求項１に記載のデータ伝送方法。
【請求項３】
前記制御情報は、前記共用伝送チャネルがマッピングされる物理チャネルの伝送電力を制御するための情報であることを特徴とする、請求項１に記載のデータ伝送方法。
【請求項４】
前記ダウンリンクデータ伝送段階は、
前記制御情報によって前記共用伝送チャネルがマッピングされる物理チャネルの伝送電力を決定する段階；及び
前記決定された伝送電力で前記物理チャネルを通して前記端末に前記ダウンリンクデータを伝送する段階を含むことを特徴とする、請求項３に記載のデータ伝送方法。
【請求項５】
前記共用伝送チャネルは、ＦＡＣＨ（Ｆｏｒｗａｒｄ  Ａｃｃｅｓｓ  Ｃｈａｎｎｅｌ）であることを特徴とする、請求項１に記載のデータ伝送方法。
【請求項６】
前記測定情報は、特定のＲＡＣＨ（Ｒａｎｄｏｍ  Ａｃｃｅｓｓ  Ｃｈａｎｎｅｌ）メッセージに含まれて受信されることを特徴とする、請求項５に記載のデータ伝送方法。
【請求項７】
前記共用伝送チャネルは、ＨＳ―ＤＳＣＨ（Ｈｉｇｈ  Ｓｐｅｅｄ  Ｄｏｗｎｌｉｎｋ  Ｓｈａｒｅｄ  Ｃｈａｎｎｅｌ）であることを特徴とする、請求項１に記載のデータ伝送方法。
【請求項８】
前記物理チャネルは、ＨＳ―ＰＤＳＣＨ（Ｈｉｇｈ  Ｓｐｅｅｄ  Ｐｈｙｓｉｃａｌ  Ｄｏｗｎｌｉｎｋ  Ｓｈａｒｅｄ  Ｃｈａｎｎｅｌ）であることを特徴とする、請求項７に記載のデータ伝送方法。
【請求項９】
前記測定情報は、セル更新メッセージを通して受信されることを特徴とする、請求項１に記載のデータ伝送方法。
【請求項１０】
前記ダウンリンクデータは、セル更新確認メッセージであることを特徴とする、請求項９に記載のデータ伝送方法。
【請求項１１】
前記上位ネットワークノードは、無線網制御器であることを特徴とする、請求項１に記載のデータ伝送方法。
【請求項１２】
無線通信システムでのダウンリンク共用伝送チャネルを通したデータ伝送方法において、
上位ネットワークノードで端末から伝送された測定情報を受信する段階；
前記測定情報の少なくとも一部を前記上位ネットワークノードから基地局に伝達する段階；及び
前記上位ネットワークノードから受信された測定情報を用いて前記共用伝送チャネルを通して前記基地局から前記端末にダウンリンクデータを伝送する段階を含む、データ伝送方法。
【請求項１３】
前記ダウンリンクデータ伝送段階は、
前記上位ネットワークノードから受信された測定情報を用いて前記共用伝送チャネルがマッピングされる物理チャネルの伝送電力を決定する段階；及び
前記決定された伝送電力で前記物理チャネルを通して前記端末に前記ダウンリンクデータを伝送する段階を含むことを特徴とする、請求項１２に記載のデータ伝送方法。
【請求項１４】
前記測定情報は、前記上位ネットワークノードでＲＡＣＨを通してセル更新メッセージと一緒に受信されることを特徴とする、請求項１２に記載のデータ伝送方法。
【請求項１５】
前記共用伝送チャネルはＨＳ―ＤＳＣＨで、前記物理チャネルはＨＳ―ＰＤＳＣＨであることを特徴とする、請求項１３に記載のデータ伝送方法。
【請求項１６】
無線通信システムでのダウンリンク共用伝送チャネルを通したデータ伝送方法において、
基地局で端末からランダムアクセスプリアンブルを受信する段階；
前記ランダムアクセスプリアンブルに対する応答としてプリアンブル応答メッセージを前記基地局から前記端末に伝送する段階；
前記共用伝送チャネルを通したデータ伝送を制御するための測定情報が含まれた上位階層メッセージを上位ネットワークノードで前記端末から受信する段階；
前記測定情報の少なくとも一部を前記上位ネットワークノードから基地局に伝達する段階；及び
前記上位ネットワークノードから受信された測定情報を用いて前記共用伝送チャネルを通して前記基地局から前記端末にダウンリンクデータを伝送する段階を含む、データ伝送方法。
【請求項１７】
前記上位階層メッセージは、ランダムアクセスメッセージ部分に含まれて受信されることを特徴とする、請求項１６に記載のデータ伝送方法。
【請求項１８】
前記上位階層メッセージは、セル更新メッセージであることを特徴とする、請求項１６に記載のデータ伝送方法。
【請求項１９】
前記ダウンリンクデータ伝送段階は、
前記上位ネットワークノードから受信された測定情報を用いて前記共用伝送チャネルがマッピングされる物理チャネルの伝送電力を決定する段階；及び
前記決定された伝送電力で前記物理チャネルを通して前記端末に前記ダウンリンクデータを伝送する段階を含むことを特徴とする、請求項１６に記載のデータ伝送方法。
【請求項２０】
前記共用伝送チャネルはＨＳ―ＤＳＣＨで、前記物理チャネルはＨＳ―ＰＤＳＣＨであることを特徴とする、請求項１９に記載のデータ伝送方法。
【請求項２１】
無線通信システムでのダウンリンク共用伝送チャネルを通したデータ伝送方法において、
上位ネットワークノードで端末から伝送された測定情報を受信する段階；
前記測定情報から獲得された前記共用伝送チャネルと関連した制御情報を前記上位ネットワークノードから基地局に伝達する段階；及び
前記基地局で前記制御情報を用いて前記共用伝送チャネルを通した前記端末へのダウンリンクデータ伝送をスケジューリングする段階を含む、データ伝送方法。
【請求項２２】
前記制御情報は、前記共用伝送チャネルがマッピングされる物理チャネルの伝送電力を制御するための情報であることを特徴とする、請求項２１に記載のデータ伝送方法。
【請求項２３】
無線通信システムでのダウンリンク共用伝送チャネルを通したデータ受信方法において、
測定情報を上位ネットワークノードに伝送する段階；及び
基地局から前記ダウンリンク共用伝送チャネルがマッピングされた物理チャネルを通してダウンリンクデータを受信する段階を含み、
前記物理チャネルの伝送電力は、前記上位ネットワークノードによって前記測定情報から獲得され、前記基地局に伝達された伝送電力制御情報によって決定されたことを特徴とする、データ受信方法。
【発明の詳細な説明】
【技術分野】
【０００１】
本発明は、無線通信システムに関するもので、より詳細には、無線通信システムのダウンリンク共通伝送チャネルを通して端末にダウンリンクデータを伝送する方法、及び端末からダウンリンクデータを受信する方法に関するものである。
【背景技術】
【０００２】
非同期式移動通信システムであるＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）で、伝送チャネルは、物理階層とＭＡＣ（Ｍｅｄｉｕｍ  Ａｃｃｅｓｓ  Ｃｏｎｔｒｏｌ）階層との間でデータ伝達のための通路を提供する。論理チャネルと異なり、伝送されるデータの発生特性によって多様な伝送チャネルが使用されるが、大きく専用チャネルと共用チャネルの２種類に区分される。専用チャネルは、特定の端末によって専用として使用されるチャネルを意味する。共用伝送チャネルは、多数の端末が共有して用いることができるチャネルとして、ＲＡＣＨ（Ｒａｎｄｏｍ  Ａｃｃｅｓｓ  Ｃｈａｎｎｅｌ）、ＦＡＣＨ（Ｆｏｒｗａｒｄ  Ａｃｃｅｓｓ  Ｃｈａｎｎｅｌ）、ＢＣＨ（Ｂｒｏａｄｃａｓｔ  Ｃｈａｎｎｅｌ）、ＰＣＨ（Ｐａｇｉｎｇ  Ｃｈａｎｎｅｌ）、ＨＳ―ＤＳＣＨ（Ｈｉｇｈ  Ｓｐｅｅｄ  Ｄｏｗｎｌｉｎｋ  Ｓｈａｒｅｄ  Ｃｈａｎｎｅｌ）、ＣＰＣＨ（Ｃｏｍｍｏｎ  Ｐａｃｋｅｔ  Ｃｈａｎｎｅｌ）、ＵＳＣＨ（Ｕｐｌｉｎｋ  Ｓｈａｒｅｄ  Ｃｈａｎｎｅｌ）などを含む。
【０００３】
上記のような共用伝送チャネルのうちダウンリンクデータ伝送のために使用されるチャネルとしては、ＦＡＣＨ、ＨＳ―ＤＳＣＨなどがある。ＦＡＣＨは、一般的に端末に少量のデータを伝送するときに使用するダウンリンク共用チャネルである。ＨＳ―ＤＳＣＨは、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）システムで高速データ伝送のために使用されるダウンリンク共通伝送チャネルである。ＨＳ―ＤＳＣＨ上で、多数の端末は、多数の共用チャネル化コードを使用して無線資源を共有する。各端末は、同一の伝送時間間隔（ＴＴＳ：Ｔｒａｎｓｍｉｓｓｉｏｎ  Ｔｉｍｅ  Ｉｎｔｅｒｖａｌ）内で端末の容量によって多数のチャネル化コードの割り当てを受けることができ、多数の端末に対する各データは、一つのＨＳ―ＤＳＣＨ  ＴＴＩ内でコード多重化されて伝送される。
【０００４】
ＦＡＣＨは、物理チャネルであるＳ―ＣＣＰＣＨ（Ｓｅｃｏｎｄａｒｙ  Ｃｏｍｍｏｎ  Ｃｏｎｔｒｏｌ  Ｐｈｙｓｉｃａｌ  Ｃｈａｎｎｅｌ）にマッピングされ、端末専用データまたは共通データを下方に伝送することもできる。Ｓ―ＣＣＰＣＨは、ＴＦＣＩ（Ｔｒａｎｓｐｏｒｔ  Ｆｏｒｍａｔ  Ｃｏｍｂｉｎａｔｉｏｎ  Ｉｎｄｉｃａｔｏｒ）フィールド、データフィールド及びパイロットフィールドで構成される。ＴＦＣＩは、データフィールドに伝送されるデータの伝送フォーマットを知らせる。このとき、ネットワークの無線網制御器（ＲＮＣ：Ｒａｄｉｏ  Ｎｅｔｗｏｒｋ  Ｃｏｎｔｒｏｌｌｅｒ）がＦＡＣＨのスケジューリングを担当し、Ｎｏｄｅ  Ｂは、ＲＮＣのスケジューリングによってＦＡＣＨデータをＳ―ＣＣＰＣＨを通して無線で伝送する役割を行う。
【発明の概要】
【発明が解決しようとする課題】
【０００５】
上記のような従来技術において、ダウンリンク共用伝送チャネルの一つであるＦＡＣＨを通したダウンリンクデータ伝送は、無線網制御器でスケジューリングされ、無線チャネル状態の速い変化に適応できないという問題点があった。また、データ伝送率が限定されているので、高速伝送に適していないという問題点があった。
【０００６】
本発明は、上記のような従来技術の問題点を解決するためになされたもので、その目的は、無線チャネルの状態の変化に適応的に対応できるデータ伝送方法及び受信方法を提供することにある。
【課題を解決するための手段】
【０００７】
本発明の一様相は、無線通信システムでのダウンリンク共用伝送チャネルを通したデータ伝送方法を開示する。本発明の一様相によると、ネットワークの上位ネットワークノードは、端末から伝送された測定情報を受信する。前記上位ネットワークノードは、前記測定情報から前記共用伝送チャネルの制御情報を獲得して基地局に伝達し、前記基地局は、前記制御情報によって前記共用伝送チャネルを通して前記端末にダウンリンクデータを伝送する。
【０００８】
本発明の他の様相による無線通信システムでダウンリンク共用伝送チャネルを通したデータ伝送方法において、上位ネットワークノードは、端末から伝送された測定情報を受信する。前記上位ネットワークノードは、前記測定情報の少なくとも一部を前記基地局に伝達する。前記基地局は、前記上位ネットワークノードから受信された測定情報を用いて前記共用伝送チャネルを通して前記端末にダウンリンクデータを伝送する。前記基地局から前記端末に前記ダウンリンクデータを伝送するとき、前記上位ネットワークノードから受信された測定情報を用いて前記共用伝送チャネルがマッピングされる物理チャネルの伝送電力を決定し、前記決定された伝送電力で前記物理チャネルを通して前記端末に前記ダウンリンクデータを伝送する。
【０００９】
本発明の更に他の様相によるデータ伝送方法は、無線通信システムでのダウンリンク共用伝送チャネルを通したデータ伝送方法において、上位ネットワークノードで端末から伝送された測定情報を受信する段階と、前記測定情報から獲得された前記共用伝送チャネルと関連した制御情報を前記上位ネットワークノードから基地局に伝達する段階と、前記基地局で前記制御情報を用いて前記共用伝送チャネルを通した前記端末へのダウンリンクデータ伝送をスケジューリングする段階とを含んで構成される。
【００１０】
本発明の更に他の様相によるデータ受信方法は、無線通信システムでのダウンリンク共用伝送チャネルを通したデータ受信方法において、測定情報を上位ネットワークノードに伝送する段階と、基地局から前記ダウンリンク共用伝送チャネルがマッピングされた物理チャネルを通してダウンリンクデータを受信する段階とを含み、前記物理チャネルの伝送電力は、前記上位ネットワークノードによって前記測定情報から獲得され、前記基地局に伝達された伝送電力制御情報によって決定されたことを特徴とする。
【発明の効果】
【００１１】
本発明によると、無線通信システムでのダウンリンク共用伝送チャネルを通したデータ伝送において、チャネル状態の変化に適応的に対応できるという効果がある。
【図面の簡単な説明】
【００１２】
【図１】ＵＭＴＳの網構造を示した図である。
【図２】ＵＭＴＳシステムで使用する無線プロトコルの構造を示した図である。
【図３】本発明に係る一実施例の手順フローチャートである。
【図４】図３の実施例によってＦＡＣＨを通して端末にダウンリンクデータを伝送する場合のプロトコル構造を示した図である。
【図５】本発明の他の実施例の手順フローチャートである。
【発明を実施するための形態】
【００１３】
以下で説明される本発明の各実施例を通して、本発明の構成、作用及び他の特徴を容易に理解できるだろう。以下で説明される各実施例は、本発明の技術的特徴がＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）に適用された例である。ＵＭＴＳの技術規格の詳細な内容は、"３ｒｄ  Ｇｅｎｅｒａｔｉｏｎ  Ｐａｒｔｎｅｒｓｈｉｐ  Ｐｒｏｊｅｃｔ；Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ"のＲｅｌｅａｓｅ７を参照することができる。
【００１４】
図１は、ＵＭＴＳの網構造を示した図である。ＵＭＴＳシステムは、大きく端末（Ｕｓｅｒ  Ｅｑｕｉｐｍｅｎｔ；ＵＥ）、ＵＭＴＳ無線接続網（ＵＭＴＳ  Ｔｅｒｒｅｓｔｒｉａｌ  Ｒａｄｉｏ  Ａｃｃｅｓｓ  Ｎｅｔｗｏｒｋ；ＵＴＲＡＮ）及び核心網（Ｃｏｒｅ  Ｎｅｔｗｏｒｋ；ＣＮ）で構成される。ＵＴＲＡＮは、一つ以上の無線網副システム（Ｒａｄｉｏ  Ｎｅｔｗｏｒｋ  Ｓｕｂ―ｓｙｓｔｅｍｓ；ＲＮＳ）で構成され、各ＲＮＳは、一つの無線網制御器（Ｒａｄｉｏ  Ｎｅｔｗｏｒｋ  Ｃｏｎｔｒｏｌｌｅｒ；ＲＮＣ）及び前記ＲＮＣによって管理される一つ以上の基地局（Ｎｏｄｅ  Ｂ）で構成される。一つのＮｏｄｅ  Ｂには一つ以上のセルが存在する。
【００１５】
図２は、ＵＭＴＳシステムで使用する無線プロトコルの構造を示した図である。図２に示すような無線プロトコル階層は、端末とＵＴＲＡＮにペア(ｐａｉｒ)として存在し、無線区間のデータ伝送を担当する。それぞれの無線プロトコル階層に対して説明すると、次の通りである。まず、第１階層である物理（ＰＨＹ：ＰＨＹｓｉｃａｌ）階層は、多様な無線伝送技術を用いてデータを無線区間に伝送する役割をする。ＰＨＹ階層は、上位階層であるＭＡＣ階層と伝送チャネルを通して連結されており、伝送チャネルは、大きくチャネルの共有可否によって専用伝送チャネルと共用伝送チャネルに分けられる。
【００１６】
第２階層には、ＭＡＣ（Ｍｅｄｉｕｍ  Ａｃｃｅｓｓ  Ｃｏｎｔｒｏｌ）、ＲＬＣ（Ｒａｄｉｏ  Ｌｉｎｋ  Ｃｏｎｔｒｏｌ）、ＰＤＣＰ（Ｐａｋｃｅｔ  Ｄａｔａ  Ｃｏｎｖｅｒｇｅｎｃｅ  Ｐｒｏｔｏｃｏｌ）及びＢＭＣ（Ｂｒｏａｄｃａｓｔ／Ｍｕｌｔｉｃａｓｔ  Ｃｏｎｔｒｏｌ）階層が存在する。ＭＡＣ階層は、多様な論理チャネルを多様な伝送チャネルにマッピングさせる役割と、多様な論理チャネルを一つの伝送チャネルにマッピングさせる論理チャネル多重化の役割を行う。ＭＡＣ階層は、上位階層であるＲＬＣ階層とは論理チャネルを通して連結されており、論理チャネルは、伝送される情報の種類によって制御平面の情報を伝送する伝送チャネルと、使用者平面の情報を伝送するトラフィックチャネルとに大きく分けられる。
【００１７】
ＭＡＣ階層は、細部的に管理する伝送チャネルの種類によってＭＡＣ―ｂ副階層、ＭＡＣ―ｄ副階層、ＭＡＣ―ｃ／ｓｈ副階層、ＭＡＣ―ｈｓ副階層及びＭＡＣ―ｅ副階層に区分される。ＭＡＣ―ｂ副階層は、システム情報の放送を担当する伝送チャネルであるＢＣＨ（Ｂｒｏａｄｃａｓｔ  Ｃｈａｎｎｅｌ）の管理を担当し、ＭＡＣ―ｃ／ｓｈ副階層は、他の端末と共有されるＦＡＣＨ（Ｆｏｒｗａｒｄ  Ａｃｃｅｓｓ  Ｃｈａｎｎｅｌ）やＤＳＣＨ（Ｄｏｗｎｌｉｎｋ  Ｓｈａｒｅｄ  Ｃｈａｎｎｅｌ）などの共用伝送チャネルを管理し、ＭＡＣ―ｄ副階層は、特定の端末に対する専用伝送チャネルであるＤＣＨ（Ｄｅｄｉｃａｔｅｄ  ｃｈａｎｎｅｌ）の管理を担当する。また、ダウンリンク及びアップリンクの高速データ伝送を支援するために、ＭＡＣ―ｈｓ副階層は、高速ダウンリンクデータ伝送のための伝送チャネルであるＨＳ―ＤＳＣＨ（Ｈｉｇｈ  Ｓｐｅｅｄ  Ｄｏｗｎｌｉｎｋ  Ｓｈａｒｅｄ  Ｃｈａｎｎｅｌ）を管理し、ＭＡＣ―ｅ副階層は、高速アップリンクデータ伝送のための伝送チャネルであるＥ―ＤＣＨ（Ｅｎｈａｎｃｅｄ  Ｄｅｄｉｃａｔｅｄ  Ｃｈａｎｎｅｌ）を管理する。
【００１８】
ＲＬＣ階層は、各無線ベアラ（ＲＢ：Ｒａｄｉｏ  Ｂｅａｒｅｒ）のサービス品質（ＱｏＳ：Ｑｕａｌｉｔｙ  ｏｆ  Ｓｅｒｖｉｃｅ）に対する保障及びこれによるデータの伝送を担当する。ＲＬＣは、ＲＢ固有のＱｏＳを保障するために、ＲＢごとに一つまたは二つの独立したＲＬＣエンティティを含んでおり、多様なＱｏＳを支援するためにＴＭ（Ｔｒａｎｓｐａｒｅｎｔ  Ｍｏｄｅ、透明モード）、ＵＭ（Ｕｎａｃｋｎｏｗｌｅｄｇｅｄ  Ｍｏｄｅ、無応答モード）及びＡＭ（Ａｃｋｎｏｗｌｅｄｇｅｄ  Ｍｏｄｅ、応答モード）の三つのＲＬＣモードを提供する。また、ＲＬＣは、下位階層が無線区間にデータを伝送できるようにデータ大きさを調節する役割も行っており、このために、上位階層から受信したＳＤＵ（Ｓｅｒｖｉｃｅ  Ｄａｔａ  Ｕｎｉｔ）データを分割及び連結してＰＤＵ（Ｐｒｏｔｏｃｏｌ  ｄａｔａ  ｕｎｉｔ）を生成し、これを下位階層に伝達する機能も行う。
【００１９】
ＰＤＣＰ階層は、ＲＬＣ階層の上位に位置し、ＩＰｖ４やＩＰｖ６のようなＩＰパケットを用いて伝送されるデータが、相対的に帯域幅の小さい無線区間で効率的に伝送されるようにする。このために、ＰＤＣＰ階層は、ヘッダー圧縮機能を行うが、これは、データのヘッダー部分で必ず必要な情報のみが伝送されるようにし、無線区間の伝送効率を増加させるものである。ＰＤＣＰ階層は、ヘッダー圧縮が基本機能であるので、パケットサービス領域（ＰＳ  ｄｏｍａｉｎ）のみに存在し、各ＰＳサービスに対して効果的なヘッダー圧縮機能を提供するためにＲＢ当たり１個のＰＤＣＰエンティティが存在する。
【００２０】
さらに、第２階層には、ＢＭＣ（Ｂｒｏａｄｃａｓｔ／Ｍｕｌｔｉｃａｓｔ  Ｃｏｎｔｒｏｌ）階層がＲＬＣ階層の上位に存在し、ＢＭＣ階層は、セル放送メッセージをスケジューリングし、特定のセルに位置した各端末に放送する機能を行う。
【００２１】
第３階層の最下部に位置したＲＲＣ（Ｒａｄｉｏ  Ｒｅｓｏｕｒｃｅ  Ｃｏｎｔｒｏｌ、無線資源制御）階層は、制御平面のみで定義され、各ＲＢの設定、再設定及び解除と関連して第１及び第２階層のパラメーターを制御し、かつ、論理チャネル、伝送チャネル及び物理チャネルの制御を担当する。このとき、ＲＢは、端末とＵＴＲＡＮとの間のデータ伝達のために無線プロトコルの第１及び第２階層によって提供される論理的経路を意味し、一般的にＲＢが設定されることは、特定のサービスを提供するために必要な無線プロトコル階層及びチャネルの特性を規定し、それぞれの具体的なパラメーター及び動作方法が設定されることを意味する。
【００２２】
図３は、本発明に係る一実施例の手順フローチャートである。図３の実施例は、ネットワークから端末にダウンリンク共用伝送チャネルであるＦＡＣＨ（Ｆｏｒｗａｒｄ  Ａｃｃｅｓｓ  Ｃｈａｎｎｅｌ）を通してダウンリンクデータを伝送する例に関するものである。図４は、図３の実施例によってＦＡＣＨを通して端末にダウンリンクデータを伝送する場合のプロトコル構造を示した図で、ＦＡＣＨを通したダウンリンクデータ伝送のためのスケジューリングは、Ｎｏｄｅ  ＢのＭＡＣ階層で行われる。本発明の特徴は、ＦＡＣＨのみならず、ＨＳ―ＤＳＣＨ（Ｈｉｇｈ  Ｓｐｅｅｄ  Ｄｏｗｎｌｉｎｋ  Ｓｈａｒｅｄ  Ｃｈａｎｎｅｌ）などのような他のダウンリンク共用伝送チャネルを通したダウンリンクデータの伝送においても適用可能であることが自明である。
【００２３】
図３を参照すると、端末は、ＲＡＣＨ（Ｒａｎｄｏｍ  Ａｃｃｅｓｓ  Ｃｈａｎｎｅｌ）を通してＲＡＣＨプリアンブルをＮｏｄｅ  Ｂに伝送することで、ランダムアクセス手順を開始する。ＲＡＣＨは、上方に短い長さのデータを伝送するために使用され、ＲＲＣ連結要請メッセージ、セル更新メッセージ、ＵＲＡ更新メッセージなどの一部ＲＲＣメッセージもＲＡＣＨを通して伝送される。論理チャネルＣＣＣＨ（Ｃｏｍｍｏｎ  Ｃｏｎｔｒｏｌ  Ｃｈａｎｎｅｌ）、ＤＣＣＨ（Ｄｅｄｉｃａｔｅｄ  Ｃｏｎｔｒｏｌ  Ｃｈａｎｎｅｌ）、ＤＴＣＨ（Ｄｅｄｉｃａｔｅｄ  Ｔｒａｆｆｉｃ  Ｃｈａｎｎｅｌ）が伝送チャネルＲＡＣＨにマッピングされ、伝送チャネルＲＡＣＨは、再び物理チャネルＰＲＡＣＨ（Ｐｈｙｓｉｃａｌ  Ｒａｎｄｏｍ  Ａｃｃｅｓｓ  Ｃｈａｎｎｅｌ）にマッピングされる。
【００２４】
前記端末のＭＡＣ階層が物理階層（ＰＨＹ）にＰＲＡＣＨ伝送を指示すると、端末の物理階層は、まず、一つのアクセススロット及び一つのシグネチャを選択し、ＰＲＡＣＨプリアンブルを前記Ｎｏｄｅ  Ｂに伝送する［Ｓ３１]。前記プリアンブルは、１．３３ｍｓ長さのアクセススロット区間の間に伝送され、アクセススロットの最初の一定の長さの間に１６個のシグネチャのうち一つのシグネチャを選択して伝送する。前記端末がプリアンブルを伝送すると、前記Ｎｏｄｅ  Ｂは、ダウンリンク物理チャネルであるＡＩＣＨ（Ａｃｑｕｉｓｉｔｉｏｎ  Ｉｎｄｉｃａｔｏｒ  Ｃｈａｎｎｅｌ）を通してプリアンブル応答メッセージを伝送する。すなわち、前記Ｎｏｄｅ  Ｂは、前記プリアンブルに対する応答として、ＡＩＣＨを通して、前記プリアンブルが伝送されたアクセススロットに対応するアクセススロットの最初の一定の長さの間に前記プリアンブルが選択したシグネチャを伝送する。このとき、前記Ｎｏｄｅ  Ｂは、ＡＩＣＨを通して伝送されるシグネチャを通して肯定的な応答（ＡＣＫ：Ａｃｋｎｏｗｌｅｄｇｅｍｅｎｔ）または否定的な応答（ＮＡＣＫ：Ｎｏｎ―ａｃｋｎｏｗｌｅｄｇｅｍｅｎｔ）を前記端末に伝送する。
【００２５】
前記端末が前記プリアンブル応答メッセージを通して前記Ｎｏｄｅ  ＢからＡＣＫを受信すると、前記端末は、前記伝送したシグネチャに対応するＯＶＳＦ（Ｏｒｔｈｏｇｏｎａｌ  Ｖａｒｉａｂｌｅ  Ｓｐｒｅａｄｉｎｇ  Ｆａｃｔｏｒ）コードを使用して１０ｍｓまたは２０ｍｓ長さのメッセージ部分を前記Ｎｏｄｅ  Ｂに伝送する［Ｓ３３］。前記端末がＮＡＣＫを受信すると、前記端末のＭＡＣ階層は、所定時間以後に物理階層にＲＡＣＨプリアンブルを再び伝送することを指示する。一方、前記端末が、伝送されたプリアンブルに対応するＡＩＣＨを受信していない場合、前記端末は、定められたアクセススロット以後に以前のプリアンブルより一段階高い電力で新しいプリアンブルを伝送する。
【００２６】
上記のように、前記端末が前記Ｎｏｄｅ  ＢからＡＣＫを含むプリアンブル応答メッセージを受信すると、前記端末は、ＲＡＣＨメッセージ部分を通して短い長さのメッセージを伝送する。前記ＲＡＣＨメッセージ部分には、ＲＲＣ連結要請メッセージ、セル更新メッセージ、ＵＲＡ更新メッセージなどのようないくつかのＲＲＣメッセージも含まれる。図３は、前記ＲＡＣＨメッセージ部分を通してセル更新メッセージを伝送する実施例である。セル更新手順は、Ｃｅｌｌ＿ＦＡＣＨまたはＣｅｌｌ＿ＰＣＨ状態の端末がセル水準で自身の位置情報をＵＴＲＡＮに知らせるために使用する手順として、前記端末は、セル更新メッセージを伝送して自身の位置情報を更新する。前記セル更新メッセージは、ＲＲＣメッセージであるので、ＵＴＲＡＮでＲＲＣ階層が位置するＲＮＣに伝達される。
【００２７】
前記セル更新メッセージには、データ保安と関連したＳＴＡＲＴ値及び伝送理由（Ｃｅｌｌ  Ｕｐｄａｔｅ  Ｃｕａｓｅ）などが含まれる。前記端末がセル更新メッセージを伝送できる伝送理由としては、ＵＲＡ＿ＰＣＨまたはＣｅｌｌ＿ＰＣＨ状態で前記端末がアップリンクに伝送するデータを有している場合、ＵＴＲＡＮからページングメッセージを受信し、これに対する応答が必要である場合、Ｃｅｌｌ＿ＤＣＨ状態にあるときに無線リンク失敗が発生する場合などがある。
【００２８】
図３の実施例において、前記セル更新メッセージは、測定情報をさらに含む。測定手順は、無線環境を考慮した適切な網管理と資源割り当てに必要な多様な情報をＲＮＣに提供するために、端末がトラフィックボリューム、チャネル品質、端末位置などを測定する手順を意味する。ＵＴＲＡＮは、前記端末が測定手順を行い、その結果を報告するのに必要な測定関連制御情報をシステム情報を通して放送したり、測定制御メッセージを通して前記端末に伝送する。前記端末は、前記測定関連制御情報によってＵＴＲＡＮに測定結果を報告するように設定された基準が満足されると、周期的または特定のイベント発生時に測定情報をＵＴＲＡＮのＲＮＣに伝送する。前記測定関連制御情報は、ＵＭＴＳの技術規格に詳細に記述されている。
【００２９】
前記測定情報は、ＵＴＲＡＮがダウンリンク共用伝送チャネルであるＦＡＣＨを通したダウンリンクデータの伝送を制御するために必要な情報を含むことが好ましい。例えば、前記測定情報には、ＦＡＣＨの品質情報、ＦＡＣＨを通して端末に受信される信号の受信強度、基準チャネルであるＣＰＩＣＨ（Ｃｏｍｍｏｎ  Ｐｉｌｏｔ  Ｃｈａｎｎｅｌ）の品質情報、ＣＰＩＣＨを通して受信される信号の受信強度などと関連した情報などが含まれる。また、前記測定情報は、前記端末によって決定されたＦＡＣＨまたはＨＳ―ＤＳＣＨの伝送電力及び／またはデータレートの制御情報を含むことができる。
【００３０】
前記ＲＮＣが前記端末からセル更新メッセージを受信し、正常的に前記端末の位置情報を更新した後、前記Ｎｏｄｅ  Ｂを通して前記端末にセル更新確認メッセージを伝送する［Ｓ３４、Ｓ３５］。前記ＲＮＣは、Ｉｕｂインターフェースを通して前記Ｎｏｄｅ  Ｂに伝達されるセル更新確認メッセージ、ＦＡＣＨの伝送電力を制御するための電力制御情報またはＦＡＣＨを通して伝送されるデータのデータレート制御情報を前記Ｎｏｄｅ  Ｂに伝達する。前記電力制御情報またはデータレート制御情報は、前記端末によって決定されて前記ＲＮＣに伝送された値であるか、または前記端末から伝送された測定情報から前記ＲＮＣによって決定された値である。前記Ｎｏｄｅ  Ｂは、前記電力制御情報によって調整された伝送電力またはデータレートでＦＡＣＨを通してセル更新確認メッセージを前記端末に伝送する。ＦＡＣＨは、物理チャネルであるＳ―ＣＣＰＣＨ（Ｓｅｃｏｎｄａｒｙ  Ｃｏｍｍｏｎ  Ｃｏｎｔｒｏｌ  Ｐｈｙｓｉｃａｌ  Ｃｈａｎｎｅｌ）にマッピングされるので、ＦＡＣＨの伝送電力またはデータレートを制御するという意味は、Ｓ―ＣＣＰＣＨの伝送電力またはデータレートを制御するという意味と同一である。
【００３１】
ＦＡＣＨを通して前記端末にダウンリンクデータが伝送される場合、ＦＡＣＨがマッピングされるＳ―ＣＣＰＣＨは、複数個のＯＶＳＦコードを用いて伝送される。このとき、Ｓ―ＣＣＰＣＨのＴＦＣＩフィールドのＴＦＣＩコードワードは、伝送フォーマットと一緒にＯＶＳＦコードの個数を前記端末に知らせることができる。ＴＦＣＩコードワード、特定の伝送フォーマット及び特定のＯＶＳＦコード個数の関係は、システム情報または無線ベアラ設定メッセージのようなＲＲＣメッセージを通して前記端末に伝送される。前記端末は、自身の端末識別子または前記ＲＲＣメッセージを通して自身が受信するＳ―ＣＣＰＣＨを決定する。前記端末が複数のＯＶＳＦコードによって伝送されるＳ―ＣＣＰＣＨを受信できる場合、前記端末は、前記ＲＲＣメッセージを通して特定のＴＦＣＩコードワードがどのような伝送フォーマット及びＯＶＳＦコード個数を意味するかを把握することができる。前記端末は、前記Ｓ―ＣＣＰＣＨチャネルのＴＦＣＩフィールドのＴＦＣＩコードワードを獲得し、獲得したコードワードによって前記コードワードと同一のフレームに伝送されるＳ―ＣＣＰＣＨのデータをデコーディングする。
【００３２】
前記端末が複数のＯＶＳＦコードで伝送されるＳ―ＣＣＰＣＨを受信できない場合、前記端末は、前記ＯＶＳＦコードの個数を知らせるＴＦＣＩコードワードを有効でないコードワードと判断し、前記コードワードと同一のフレームに伝送されるＳ―ＣＣＰＣＨのデータをデコーディングしない。
【００３３】
例えば、ＴＦＣＩの１番から２０番までは伝送フォーマットのみを知らせ、２１番から４０番までは伝送フォーマットと一緒にＯＶＳＦコード個数を知らせる。このとき、複数のＯＶＳＦコードで伝送されるＳ―ＣＣＰＣＨを受信できない端末は、１番から２０番までのみが有効なＴＦＣＩコードワードであると判断し、残りは有効でないものと判断する。一方、複数のＯＶＳＦコードで伝送されるＳ―ＣＣＰＣＨを受信できる端末は、１番から４０番までのコードワードを全て有効なものと判断し、そのコードワードによってデータをデコーディングする。
【００３４】
図５は、本発明に係る他の実施例の手順フローチャートである。図５の実施例は、ネットワークから端末にダウンリンク共用伝送チャネルであるＨＳ―ＤＳＣＨを通してダウンリンクデータを伝送する例に関するものである。
【００３５】
図５において、Ｓ５１段階からＳ５３段階までの手順は、図３の実施例で説明した内容を参照することができる。ＲＮＣは、端末（ＵＥ）から受信された測定情報の少なくとも一部または前記測定情報から獲得されたＨＳ―ＤＳＣＨ制御情報をＮｏｄｅ  Ｂに伝達する［Ｓ５４］。前記測定情報またはＨＳ―ＤＳＣＨ制御情報は、前記ＲＮＣから前記Ｎｏｄｅ  Ｂに伝達されるデータブロックのヘッダー部分に含まれて前記Ｎｏｄｅ  Ｂに伝達される。前記Ｎｏｄｅ  Ｂは、前記ＲＮＣから受信された測定情報またはＨＳ―ＤＳＣＨ制御情報を用いて物理チャネルであるＨＳ―ＰＤＳＣＨの伝送電力またはデータレートを決定する。前記Ｎｏｄｅ  Ｂは、決定された伝送電力またはデータレートによってＨＳ―ＰＤＳＣＨを通してダウンリンクデータを前記端末に伝送する［Ｓ５５］。
【００３６】
以上説明された各実施例は、本発明の構成要素と特徴が所定の形態で結合されたものである。各構成要素または特徴は、別途の明示的な言及がない限り選択的なものとして考慮されるべきである。各構成要素または特徴は、他の構成要素や特徴と結合されない形態で実施される。また、一部の構成要素及び／または特徴を結合して本発明の実施例を構成することも可能である。本発明の各実施例で説明される各動作の順序は変更可能である。一実施例の一部構成や特徴は、他の実施例に含まれるか、または、他の実施例の対応する構成または特徴に取り替えられる。特許請求の範囲で明示的な引用関係のない請求項を結合して実施例を構成したり、出願後の補正によって新しい請求項を含ませることができることは自明である。
【００３７】
本文書において、本発明の各実施例は、端末とネットワークとの間のデータ送受信関係を中心に説明してきた。本文書において、ネットワークによって行われると説明された特定の動作は、場合によって基地局またはその上位ノードによって行われる。すなわち、基地局を含む多数のネットワークノードからなるネットワークで端末との通信のために行われる多様な動作は、基地局または基地局以外の他のネットワークノードによって行われることが自明である。‘基地局’は、固定局、Ｎｏｄｅ  Ｂ、ｅＮｏｄｅ  Ｂ（ｅＮＢ）、アクセスポイントなどの用語に取り替えられる。また、‘端末’は、ＵＥ（Ｕｓｅｒ  Ｅｑｕｉｐｍｅｎｔ）、ＭＳ（Ｍｏｂｉｌｅ  Ｓｔａｔｉｏｎ）、ＭＳＳ（Ｍｏｂｉｌｅ  Ｓｕｂｓｃｒｉｂｅｒ  Ｓｔａｔｉｏｎ）などの用語に取り替えられる。
【００３８】
本発明に係る実施例は、多様な手段、例えば、ハードウェア、ファームウェア、ソフトウェアまたはそれらの結合などによって具現される。ハードウェアによる具現の場合、本発明の一実施例に係る無線通信システムでのダウンリンクデータ伝送方法は、一つまたはそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどによって具現される。
【００３９】
ファームウェアやソフトウェアによる具現の場合、本発明の一実施例に係る無線通信システムでのダウンリンクデータ伝送方法は、以上で説明された機能または動作を行うモジュール、手順、関数などの形態で具現される。ソフトウェアコードは、メモリユニットに保存されてプロセッサによって駆動される。前記メモリユニットは、前記プロセッサの内部または外部に位置し、既に公知の多様な手段によって前記プロセッサとデータを取り交わすことができる。
【００４０】
本発明は、本発明の精神及び必須的特徴を逸脱しない範囲で他の特定の形態に具体化されることが当業者にとって自明である。したがって、上述した詳細な説明は、全ての面で制限的に解析されてはならなく、例示的なものとして考慮されるべきである。本発明の範囲は、添付された請求項の合理的な解析によって決定されるべきで、本発明の等価的範囲内での全ての変更は本発明の範囲に含まれる。
【産業上の利用可能性】
【００４１】
本発明は、移動通信システムや無線インターネットシステムなどのような無線通信システムで用いられる。
【図１】
2010507962.tif 000003
【図２】
2010507962.tif 000004
【図３】
2010507962.tif 000005
【図４】
2010507962.tif 000006
【図５】
2010507962.tif 000007
【国際調査報告】
2010507962.tif 000008
2010507962.tif 000009
2010507962.tif 000010